(57)【要約】      （修正有）【課題】耐久性と経済性にすぐれる防鳥線を張装する装置を提供する。【解決手段】果樹園、圃場でなる農地に立設された複数本の柱、パイプでなる支柱と、支柱間に防鳥線を張装する装置であって、各支柱７の適所に、一つ、又は複数設けた止め具８と、止め具に係止する引掛け部を備えた複数のスプリングと、各スプリング間に張装する防鳥線６と、各スプリングと各防鳥線間に設けた連結具と、でなり、一本の防鳥線を、対の支柱間に、スプリングと連結具を介して張装したことを特徴とする。【選択図】図１−１
0003221397.tif 000002
【実用新案登録請求の範囲】
【請求項１】
果樹園、圃場でなる農地に立設された複数本の柱、パイプでなる支柱と、
前記支柱間に防鳥線を張装する装置であって、
前記各支柱の適所に、一つ、又は複数設けた止め具と、この止め具に係止する引掛け部を備えた複数のスプリングと、この各スプリング間に張装する前記防鳥線と、前記各スプリングと前記各防鳥線間に設けた連結具と、でなり、
一本の前記防鳥線を、対の前記支柱間に、前記スプリングと前記連結具を介して張装したことを特徴とする防鳥線を張装する装置。
【請求項２】
前記農地の角隅に立設した対の前記支柱の中間部位に前記止め具をそれぞれ設け、この各止め具に、前記スプリング、及び前記連結具を、それぞれ係止するとともに、この各スプリング、及びこの各連結具を介し、前記中間部位に、前記防鳥線を張装したことを特徴とする請求項１に記載の防鳥線を張装する装置。
【請求項３】
前記支柱の上部に設けたブラケットに、前記止め具を設けたことを特徴とする請求項１に記載の防鳥線を張装する装置。
【請求項４】
前記対のスプリングの張力で、前記防鳥線を、前記支柱間に張装可能としたことを特徴とする請求項１に記載の防鳥線を張装する装置。
【請求項５】
前記支柱に控え材を付設したことを特徴とする請求項１に記載の防鳥線を張装する装置。
【考案の詳細な説明】
【技術分野】
【０００１】
本考案は、果樹園、圃場でなる農地に立設された複数本の支持柱間に防鳥線（鳥除けワイヤ）を張装する装置に関する。
【背景技術】
【０００２】
従来、この種の農地における鳥害除けとしては、黒ワイヤ（テグス）（防鳥線の一種）を張装した構造のものが重宝されている。しかし、このテグスの場合には、紫外線で劣化することから、耐久性と経済性に難がある。その為に、本考案では、４９本のステンレス線の撚糸のワイヤ撚線材で、黒色ナイロンコーテイングした防鳥線を使用する。そして、本考案は、支柱の止め具と、止め具に係止する引掛け部を備えた複数のスプリングと、スプリング間に張装する防鳥線と、スプリングと防鳥線間に設けた連結具でなる鳥除け用ワイヤ（防鳥線）を利用し、かつ防鳥線（撚りによる弾性も付与される）にスプリングで弾性を付与することと、防鳥線に備えた適宜の張力で張装する構成を提供する。
【０００３】
ここで、従来の関連文献を示すと、以下の文献が挙げられる。
【０００４】
先ず、防鳥線に関しては、特開２００５−２３７２２９号公報に説明がある。明細書の段落０００１によれば、強度、柔軟性、耐候性、耐摩耗性に優れると共に、光乱反射を有し、鳥の飛来防止等に有効性を備えた（高度な防鳥効果を有する）モノフィラメントの防鳥線の提供である。この発明は、従来のポリエチレン系樹脂繊維を使用した防鳥線（繊維系）の紫外線による変色劣化の問題点の解消である。また、特開２０１１−２２３７２３号公報に説明がある。明細書の段落０００８によれば、抗張力繊維束が耐候性のポリエチレン樹脂で被覆され、外径０．５ｍｍ〜２．０ｍｍ、破断強度１４７Ｎ〜２４５Ｎの防鳥線が、線ホルダを介して上方に添設されている。この発明は、防鳥線（繊維系）をケーブル上に容易に添設でき、防鳥線の反射によるチラつきがないので景観上問題がなく、かつ耐久性に優れ、仮に、破断で垂れ下がっても絡まない等の特徴がある。
【０００５】
また、図５−１〜図５−３に示した、従来の各例において、図５−１は、弾性ポールの支柱にテグスの防鳥線を付設した構成であるが、前述の材質による防鳥線では、紫外線による劣化で、一般的には、一年での張替となり、経済性と耐久性に改良の余地がある。また、図５−２は、竹の支柱とテグスの防鳥線の構成である。図５−１と同じ改良点がある。さらに図５−３は、テグスの防鳥線は、風、紫外線等の関係から、切断する確率が高く、張替による経済性と耐久性に改良の余地がある。
【先行技術文献】
【特許文献】
【０００６】
【特許文献１】特開２００５−２３７２２９号公報
【特許文献２】特開２０１１−２２３７２３号公報
【考案の概要】
【考案が解決しようとする課題】
【０００７】
上記の問題を解決し、張替頻度を無くしつつ、経済性と耐久性に優れたステンレス製のワイヤと樹脂コーティングによる防鳥線を提供することと、張力調整が簡易にできる防鳥線を張装する装置の提供であり、請求項１−５の構成を開示する。
【課題を解決するための手段】
【０００８】
本考案の目的を達成するため、本考案に係る防鳥線を張装する装置の一様態は、下記の請求項１−５である。
【０００９】
請求項１の防鳥線を張装する装置は、
果樹園、圃場でなる農地に立設された複数本の柱、パイプでなる支柱と、
支柱間に防鳥線を張装する装置であって、
支柱の適所に、一つ、又は複数設けた止め具と、止め具に係止する引掛け部を備えた複数のスプリングと、各スプリング間に張装する防鳥線と、各スプリングと各防鳥線間に設けた連結具と、でなり、
一本の防鳥線を、対の支柱間に、スプリングと連結具を介して張装したことを特徴とする。
【００１０】
請求項２の防鳥線を張装する装置は、
農地の角隅に立設した対の支柱の中間部位に止め具をそれぞれ設け、各止め具に、スプリング、及び連結具を、それぞれ係止するとともに、各スプリング、及び各連結具を介し、中間部位に、防鳥線を張装したことを特徴とする。
【００１１】
請求項３の防鳥線を張装する装置は、
支柱の上部に設けたブラケットに、止め具を設けたことを特徴とする。
【００１２】
請求項４の防鳥線を張装する装置は、
対のスプリングの張力で、防鳥線を、支柱間に張装可能としたことを特徴とする。
【００１３】
請求項５の防鳥線を張装する装置は、
支柱に控え材を付設したことを特徴とする。
【図面の簡単な説明】
【００１４】
【図１−１】本考案の第１実施例の形態であり、圃場のコンクリート製の支柱（ポール）に本考案の略３０ｍの防鳥線を複数本設置し、かつその他の害獣を防ぐ資材を付設した状態の俯瞰図と、要部の拡大説明図
【図１−２】防鳥線の要部を抽出した拡大正面図
【図２】本考案の第２実施例の形態であり、圃場の鋼管製の支柱（ポール）の先端と、果実の樹木の先端とに防鳥線を複数本設置し、かつその他の防害獣を防ぐ資材を付設した状態の俯瞰図
【図３−１】本考案のステンレス製のワイヤを４９本で撚り上げた状態の拡大俯瞰図
【図３−２】図３−１のステンレス製のワイヤに黒色樹脂でコーティングした線材（防鳥線）の拡大断面図
【図３−３】連結具の断面と防鳥線（ステンレス製のワイヤ）との関係を説明する拡大断面図
【図４−１】本考案の防鳥線の好ましい一例であり、防鳥線、スプリング、及び連結具の組付け前の状態の正面図
【図４−２】一方の連結具に防鳥線の一端を差し込んだ後、他方の連結具に防鳥線の他端を差し込む前の状態の正面図
【図４−３】他方の連結具に防鳥線の他端を差し込む際の正面図
【図４−４】一方及び他方の連結具に防鳥線の一端及び他端を差し込んだ状態の正面図（この例における防鳥線を張装した状態の図）
【図５−１】従来の弾性ポールの支柱にテグスの防鳥線を付設した構成で、従来のテグスによる防鳥線であって、例えば、紫外線による劣化で、一般的には、一年での張替となり、経済性と耐久性に改良の余地が考えられる例の説明図
【図５−２】従来の竹の支柱とテグスの防鳥線の構成で、従来のテグスによる防鳥線であって、例えば、紫外線による劣化で、一般的には、一年での張替となり、経済性と耐久性に改良の余地が考えられる例の説明図
【図５−３】従来のテグスによる防鳥線は、風、紫外線等の関係から、切断する確率が高く、防鳥線が切断した状態であり、原因は、例えば、紫外線による劣化か、風、或いは、害鳥によるものと考えられ、張替による経済性と耐久性に改良の余地がある説明図
【考案を実施するための形態】
【００１５】
以下、本考案を実施するための形態に係る防鳥線の仕組み、及び圃場への取付け、即ち、防鳥線を張装する装置に関して説明する。
【００１６】
図３−１〜図４−４において、本考案の防鳥線（鳥除けワイヤ）と、スプリング、及び連結具のそれぞれの構成と、これらの組付けに関し、順次、説明する。
【００１７】
先ず、図３−１〜図３−３において、好ましい一例に関して構成を説明すると、図３−１〜図３−３の如く、φ０．１１ｍｍのステンレス製の単線１を４９本撚り、外形φ１．０ｍｍに仕上げる。このように４９本撚ることで、例えば、柔軟性を担持し、屈折、振動、又は揺れ等外的要因による金属疲労、及び／又は断線等の防止を図る。また、７本の単線１から成る撚り単線群１００の撚り溝１００ａ（ワイヤ溝）に、連結具２のバネ２００ａ付きのワイヤテンション金具２００の中にある複数個のボール２０１を添設することで、コーティング済ワイヤ３（以下、ワイヤ３とする）を自動でロックするための構造である。即ち、図３−３に示した如く、ワイヤテンション金具２００に差し込むことで、ワイヤ３に対して、高強度のグリップ力を生み出し、かつワンタッチで固定できる。従って、差し込み固定のミス解消と、合理化等に有効である。尚、コーティング樹脂、好ましくは、やわらかい樹脂のハイトレルを採用し、バネ２００ａ付きワイヤテンション金具２００のボール２０１を、撚り溝１００ａに、簡易、かつ容易にグリップできるようにした（図３−３参照）。理由は、他の硬い樹脂をコーティングした場合、撚り溝１００ａにボール２０１をロックできず、かつ単線１と同じ状況になりボール２０１がグリップできず、ワイヤ３が滑り抜ける（脱抜する）。尚、図３−２及び図３−３は一例であり、これに限定されない。
【００１８】
図４−１〜図４−３に示した如く、一方の連結具２のワイヤテンション金具２００にワイヤ３を取付けるには、ワイヤ３を、ワイヤテンション金具２００の差し込み口２００ｂを差し入れることで、複数の撚り溝１００ａに、ボール２０１がそれぞれ入り込み（嵌入されて）グリップ（ロックが掛かる。固定）される。この所作で、ワイヤ３は、ワイヤテンション金具２００に取付けられる。そして、他方の連結具２ａ（その他の部品と番号は共用する）のワイヤテンション金具２００にワイヤ３を取付ける方法は、一方の連結金具２と略同じであり、割愛する。尚、図４−２と図４−３は、ワイヤ３が弛んでいる状態であり、後述するように、各支柱７の止め具９に、連結具２、２ａに備えたスプリング５の引掛け部５００を、取付けることで、防鳥線６は張装される（図４−４参照）。
【００１９】
圃場Ａに防鳥線６を張装する好ましい、一例を説明すると、例えば、図１−１と図１−２の例では、多数本で、かつ圃場Ａに添うか、或いは随意の形態等に基づいて、少なくとも、二本〜複数本、立設した各支柱７の適所の高さに一個、又は複数個の止め具８を設ける。各止め具８は、固定か、又は首振り自在等の如く自由であり、限定されない。また、各止め具８は、一段に限らず、数段の例も有り得る。そして、例えば、一方側の止め具８に、一方のスプリング５の各引掛け部５００（Ｕ字形の折曲げ部）を掛け止める。そして、続いて、一方側に対峙する、他方側の止め具８に、他方側のスプリング５の各引掛け部５００を掛け止める。この所作で、当該一方側の支柱７と、これに対峙する他方側の支柱７との間に、防鳥線６を張装する。この所作を繰り返し、それぞれの支柱７間に、それぞれの防鳥線６を、順次、この圃場Ａに最適な適宜間隔で、張装する。この一例では、支柱７は１ｍ間隔であるが、一例である。尚、圃場Ａの角端の支柱７、７……には、前述と同様に、止め具８への引掛け部５００等を利用し、それぞれ防鳥線６を張装する。周囲線（後述する獣鳥害メッシュへ止ることを含む）として、防鳥線６を取付けることも有り得る。また、支柱７間には、獣鳥害メッシュ１０を付設する。獣鳥害メッシュ１０は、針金等を利用して支柱７、及び／又は、張装した防鳥線６に緊締支持する。地上から侵入する獣鳥を防止するためである。図１−１には、要部の拡大図を参考として示してある。また、前述した周囲線は、防鳥線６としての役割と、支柱７を、防鳥線６で引張り張装することから、この支柱７への引張り対応、及び／又は、傾き等に対応できる利点とが考えられる。
【００２０】
また、圃場Ａに防鳥線６を張装する好ましい、他の一例を説明すると、例えば、図２の例では、多数本で、かつ圃場Ａに添うか、或いは随意の形態等に基づいて、少なくとも、二本〜複数本、立設した各支柱７の適所の高さに一個、又は複数個の止め具８を設ける。各止め具８は、固定か、又は首振り自在等の如く自由であり、限定されない。また、各止め具８は、一段に限らず、数段の例も有り得る。この一例では、各支柱６の先端と、果実の樹木の先（棚）とに防鳥線６を複数本設置する例であり、例えば、先端、及び棚の位置で、それぞれの止め具８に、それぞれのスプリング５の各引掛け部５００を掛け止める。この所作で、当該一方側の支柱７と、果実の樹木の先（棚）との間に、防鳥線６を張装する。この所作を繰り返し、それぞれの支柱７と果実の樹木の先（棚）との間に、それぞれの防鳥線６を、順次、張装し、この圃場Ａに最適な、適宜間隔で、張装する。その他は、前述の図１等に準ずる。尚、図中１１は控え材で、支柱７を補助、又は補強する。
【００２１】
次に、本考案の構成から考えられる防鳥線６の動作と効果に関し、一例を説明する。例えば、防鳥線６は、図１−１、及び図２の例に示すような圃場Ａに設置される。この圃場Ａに、カラスやハト等の大型の鳥、及び／又は、スズメやヒヨドリ等の小型の鳥等（鳥とする）が侵入しても、防鳥線６の特性と、張装の仕方が邪魔になり、侵入が難しい。例えば、図示しないが、この鳥が、防鳥線６に足を掛けた場合には、通常、鳥の荷重で、防鳥線６に、スプリング５、及び／又は、ワイヤ３の（撚り方による）弾性による撓みやブレが生じることで、例えば、防鳥線６が盲動するため、鳥が止まり続けることは難しく、有益である。鳥は習性で、足元の安定しない場所に留まることを嫌うため、防鳥線６の盲動は鳥除けに有益で、かつ鳥が止まり続けることを回避できる実益がある。
【００２２】
また、防鳥線６を張装の時点でやや撓んだ状態（略緊張状態）としておくと、より防鳥効果は高くなるが、限定されない。やや撓んだ防鳥線６に鳥が止まるとその瞬間、その撓み分、鳥が止まった箇所は鳥の荷重で下方向に下がる等の状態となり、安定性に欠けることと、鳥が嫌う等の実益となる。併せて、例えば、さらに前述のスプリング５及び／又は、ワイヤ３の弾性による撓みやブレが加わり、防鳥線６が盲動し、安定しないことは、極めて効果的である。
【００２３】
前述した各構造・特徴等は、本発明の好ましい一例の説明である。従って、本発明は上述した各実施例に限定されるものではなく、発明の趣旨の範囲において構成の一部を変更する構造とか、同じ特徴と効果を達成できる構造、等は、本発明の範疇である。
【符号の説明】
【００２４】
１  単線
１００  単線群
１００ａ  撚り溝
２  連結具
２ａ  連結具
２００  ワイヤテンション金具
２００ａ  バネ
２００ｂ  差し込み口
２０１  ボール
３  ワイヤ
５  スプリング
５００  引掛け部
６  防鳥線
７  支柱
８  止め具
１０  獣鳥害メッシュ
１１  控え材
Ａ  圃場
【図１−１】
0003221397.tif 000003
【図１−２】
0003221397.tif 000004
【図２】
0003221397.tif 000005
【図３−１】
0003221397.tif 000006
【図３−２】
0003221397.tif 000007
【図３−３】
0003221397.tif 000008
【図４−１】
0003221397.tif 000009
【図４−２】
0003221397.tif 000010
【図４−３】
0003221397.tif 000011
【図４−４】
0003221397.tif 000012
【図５−１】
0003221397.tif 000013
【図５−２】
0003221397.tif 000014
【図５−３】
0003221397.tif 000015